(57)【要約】【課題】  洗面化粧をする利用者が洗面化粧に必要な持物や携帯品を水のかからない位置に置く事が出来安全な洗面化粧が出来ると共に美観のある洗面化粧台を提供する。【解決手段】  単数又は複数の洗面化粧台本体の槽本体２の左右や壁側に洗面化粧する利用者の持物や携帯品を水のかからない高さにあるスタンド部１に置く事が出来、安全な洗面化粧が出来る。また、洗面化粧台本体は人工大理石からなり美観も呈する。【選択図】図１
0003216245.tif 000002
【実用新案登録請求の範囲】
【請求項１】
壁面に固定される取付部とこれから水平に伸延し前端に補強部を形成する台板と該台板のほぼ中央部に前記壁面側に向かって下り傾斜する底面を有し排水口を設ける凹状の槽本体とからなる洗面化粧台本体と前記槽本体内に水を供給する水栓とからなる洗面化粧台であって、前記槽本体の左右又は壁側に水のかからない高さに配置されるスタンド部を設けることを特徴とする洗面化粧台。
【請求項２】
前記洗面化粧台本体の槽本体が複数個横並びに配置されることを特徴とする請求項１に記載の洗面化粧台。
【請求項３】
前記洗面化粧台本体が人工大理石から形成されることを特徴とする請求項１又は２に記載の洗面化粧台。
【考案の詳細な説明】
【技術分野】
【０００１】  本考案は洗面化粧をする人が洗面化粧時に必要な持物や携帯品を水のかからない位置に置いて洗面化粧が出来るように構成されている洗面化粧台に係り、更に美観を伴う事の出来る洗面化粧台に関する。
【背景技術】
【０００２】  洗面化粧台としては各種のものがあり、同一出願人の考案したものとして「特許文献１」の「第３０３６８０６号」が挙げられる。このものは車椅子を利用する被介護人がそのままの姿勢で洗面化粧が出来るものである。
【先行技術文献】
【特許文献】
【０００３】
【特許文献１】第３０３６８０６号（図１）  この「特許文献１」の「第３０３６８０６号」の「洗面化粧台」は前記のように車椅子を利用する被介護人がそのままの姿勢で洗面化粧が出来るものであるが洗面化粧台本体の形状としては本願と類似する部分も有り先行技術のものとして挙げられる。しかしながらこの洗面化粧台には本考案のように持物や携帯品を水のかからない位置に置くためのスタンド部がなく、本願とは相異する形態のものと判断される。また、本願は洗面化粧台本体が単数のものでなく、複数のものからなり、複数人の利用者が同時に洗面化粧出来る点において大いに相異するものである。
【考案の概要】
【考案が解決しようとする課題】
【０００４】  家庭においては洗面化粧台は単数のものでよいが、例えば複数人が居住する施設等においては複数人が同時に洗面化粧をする場合が多い。そのため施設等においては複数の洗面化粧台を有することが望ましい。また、洗面化粧時に利用者は色々な持物や携帯品を持参している場合も多く、これ等のものを洗面化粧台の傍で水のかからない所に置く事を望む。また、洗面化粧台としては美観があることが望ましい。【０００５】  本考案は以上の要望に答えるべく考案されたもので単数又は複数の洗面化粧台本体からなり、利用者の持物や携帯品を水のかからない場所で洗面化粧台の近傍に置く事が出来るように形成され、全体が人工大理石からなって美観のあるものからなる洗面化粧台を提供する事を目的とする。
【課題を解決するための手段】
【０００６】  本考案は、以上の目的を達成するために考案されたものであり、請求項１の考案は、壁面に固定される取付部とこれから水平に伸延し前端に補強部を形成する台板と該台板のほぼ中央部に前記壁面側に向かって下り傾斜する底面を有し排水口を設ける凹状の槽本体とからなる洗面化粧台本体と前記槽本体内に水を供給する水栓とからなる洗面化粧台であって、前記槽本体の左右又は壁側に水のかからない高さに配置されるスタンド部を設けることを特徴とする。【０００７】  また、請求項２の考案は、前記洗面化粧台本体の槽本体が複数個横並びに配置されることを特徴とする。【０００８】  また、請求項３の考案は、前記洗面化粧台本体が人工大理石から形成されることを特徴とする。
【考案の効果】
【０００９】  本考案の請求項１の洗面化粧台によれば、洗面化粧の利用者が洗面化粧時に使用する持物や携帯品を水のかからない所に置くためのスタンド部が設けられ、安心して洗面化粧をする事が出来る。特に駅のトイレのような場所で婦人がハンドバックや買物品等を置く事が出来、極めて便利である。【００１０】  また、請求項２の洗面化粧台によれば、洗面化粧台本体の槽本体を複数個配置することが出来、複数の利用者が同時に洗面化粧が出来る効果を上げることが出来る。【００１１】  また、請求項３の洗面化粧台によれば、全体を人工大理石で形成するものからなり、美観の向上と生産性の向上を図ることが出来る。
【図面の簡単な説明】
【００１２】
【図１】  本考案の単一形態の洗面化粧台を示す平面図（ａ）と平面図のＡ−Ａ線断面図（ｂ）。
【図２】  本考案の単一形態で図１とスタンド部の形態の異なる洗面化粧台を示す平面図（ａ）と平面図のＢ−Ｂ線断面図。
【図３】  本考案の単一形態で図２と水栓の位置が異なる洗面化粧台を示す平面図（ａ）と平面図のＣ−Ｃ線断面図。
【図４】  複数の洗面化粧台本体を有する洗面化粧台の平面図。
【考案を実施するための形態】
【００１３】  以下、本考案の洗面化粧台の実施の形態を図面に基づいて詳述する。
【実施例１】
【００１４】  図１に示すように洗面化粧台本体は、壁９に固定される取付部５と取付部５から水平に伸延する台板３と台板３のほぼ中央に壁９側に向かって傾斜する底面４を有し凹状に形成され排水口７を有する槽本体２とからなる。なお、台板３の先端は下に向かって曲がっている補強部６が形成される。また、台板３には水栓８が設けられている。【００１５】  スタンド部１は槽本体２の左右に設けられる板状のものからなりスタンド部１の上面は洗面化粧時において水のかからない高さ位置に形成される。
以上の構造によりスタンド部１上に置いた持物や携帯品は安全に保管され安心して洗面化粧を行うことが出来る。
【実施例２】
【００１６】  図２は実施例２を示すものであり、この洗面化粧台はスタンド部１の位置が図１の実施例１とは相異するものであり、スタンド部１は壁側に形成される。水栓８はスタンド部１に設けられている。このスタンド部１も図１のものと同じく水のかからない位置に配置される。なお、図示のようにこのスタンド部１は図１のものより高さを高く配置することが出来、持物や携帯品を一層安全に保管出来る。
【実施例３】
【００１７】  実施例３は実施例２と同じスタンド部１を設けたものであり、水栓８の取付け状態が異なるものであり同様の効果を上げることが出来る。
【実施例４】
【００１８】  実施例４は複数の洗面化粧台本体を横並びに配設したものである。図示のものは図１と同じ形態のものが示されているが図２，図３と同様の形態のものであってもよい。この構造により、複数の利用者が同時に利用出来る効果を上げることが出来る。【００１９】  本考案は以上の説明の内容からなるがこれに限定するものではなく、同一技術的範疇のものが適用されることは勿論である。また、以上の洗面化粧台は人工大理石から形成され美観のあるものからなる。なお、スタンド部については一般成型で行う場合と、別物を接合等の接合体によって接合して形成する場合であり、これ等は同一技術的範疇に入るものと思料する。
【産業上の利用可能性】
【００２０】  本考案は単数又は複数の洗面化粧台本体からなり、その形態は図示のものに限定するものではなく、スタンド部の形態も図示のものに限定するものではなく、その利用範囲は極めて広い。
【符号の説明】
【００２１】  １  スタンド部
２  槽本体
３  台板
４  底面
５  取付部
６  補強部
７  排水口
８  水栓
９  壁
【図１】
0003216245.tif 000003
【図２】
0003216245.tif 000004
【図３】
0003216245.tif 000005
【図４】
0003216245.tif 000006